(57)【要約】【課題】  外部からの雨水等の浸入が防止でき、例え雨水等が覆蓋内に浸入したとしても、外部に排水して、安全な飲料水を確保できるようにする浄水場用覆蓋を提供すること。【解決手段】  複数のアルミニウム製の中空状押出形材からなる覆蓋材１０の幅方向の端部に形成された嵌合部２及び係合部３の嵌合及び係合によって並設して幅広の面材１を形成し、面材１の幅方向と直交する両側端部に、覆蓋材１０の係合部３に形成される樋部４に連通する排水路５を有する廻り縁２０を固着し、面材１の端部を、浄化槽，上水路等の開口縁部に固定され、廻り縁２０との間にシール部材２８ａ，２８ｄを介して面材１の端部を水密性をもたせて保持する受け枠３０と、面材１の幅方向の端部同士を気水密に連結する接合部７とを設ける。【選択図】    図３
2006036210.tif 000002
【特許請求の範囲】
【請求項１】
複数のアルミニウム製の中空状押出形材からなる覆蓋材を浄化槽，上水路等の開口部に被覆並設してなる浄水場用覆蓋において、
上記覆蓋材の幅方向の端部同士を嵌合及び係合によって並設してなる幅広の面材と、
上記面材の幅方向と直交する両側端部に固着され、上記覆蓋材の係合部に形成される樋部に連通する排水路を有する廻り縁と、
上記浄化槽，上水路等の開口縁部に固定され、上記廻り縁との間にシール部材を介して上記面材の端部を水密性をもたせて保持する受け枠と、
上記面材の幅方向の端部同士を気水密に連結する接合部と、を具備することを特徴とする浄水場用覆蓋。
【請求項２】
請求項１記載の浄水場用覆蓋において、
上記覆蓋材の幅方向の端部の厚さ方向の一側に形成される嵌合部は、隣接する一方の覆蓋材から突出する嵌合片と、他方の覆蓋材に設けられて上記嵌合片を嵌合する溝状をなし、開口部の下部に水切り片を延在する嵌合受け部とを具備し、
上記覆蓋材の幅方向の端部の厚さ方向の他側に形成される係合部は、隣接する一方の覆蓋材から樋部を形成すべく断面略Ｌ字状に突出されると共に、起立部に他方の覆蓋材に密接するパッキンを装着し、かつ、先端下部に係合膨隆部を有する係止片と、他方の覆蓋材から突出され、基端部に上記係合膨隆部と係合する係合凹部を有する係止受け片とを具備してなる、ことを特徴とする浄水場用覆蓋。
【請求項３】
請求項１又は２記載の浄水場用覆蓋において、
上記廻り縁の排水路に水抜き孔を設け、上記受け枠に二次排水路を形成してなる、ことを特徴とする浄水場用覆蓋。
【請求項４】
請求項１ないし３のいずれかに記載の浄水場用覆蓋において、
上記接合部は、面材の幅方向の端部上面に沿設固定される上方に向かって開口する溝を有する合成ゴム製のアンカと、隣接する面材に固着された上記アンカの溝内に嵌合する一対のパッキン部を可撓性及び伸縮性を有する連結片によって連結してなる合成ゴム製の目地ガスケットとを、具備する、ことを特徴とする浄水場用覆蓋。
【請求項５】
請求項１ないし４のいずれかに記載の浄水場用覆蓋において、
上記覆蓋材は、直状又は円弧状の一対の表面部と、両表面部の端部を連結する壁部と、両表面部を連結する１又は複数の補強用リブとを具備してなる、ことを特徴とする浄水場用覆蓋。
【請求項６】
請求項１ないし５のいずれかに記載の浄水場用覆蓋において、
上記受け枠に、面材の上方への移動を阻止するストッパを更に具備してなる、ことを特徴とする浄水場用覆蓋。
【発明の詳細な説明】
【技術分野】
【０００１】
この発明は、例えば浄水場に設置される浄化槽，貯水槽や上水路等の開口部を被覆する浄水場用覆蓋に関するものである。
【背景技術】
【０００２】
一般に、浄化槽，貯水槽や上水路等は、精製した上水に雨水等による大気の汚れやゴミの浸入を防ぐために、浄化槽，貯水槽や上水路等の開口部を平板状の覆蓋で被覆している。従来では、これらの覆蓋の材料として繊維強化プラスチック（ＦＲＰ）が使用されてきたが、ＦＲＰ製の覆蓋は、日光の紫外線による劣化があり、長期使用により汚れが付着し美観に劣る等の欠点がある。また、ＦＲＰは複合材であるためリサイクルの難しさがある。
【０００３】
そこで、近年では、ＦＲＰの欠点を解消し、軽量で作業性に優れ、長尺で幅広の面材が形成でき、かつ、リサイクル性に優れたアルミニウム製の覆蓋が提案されている。
【０００４】
アルミニウム製の覆蓋として、中空状押出形材からなる覆蓋材の両側縁に、隣設する覆蓋材と幅方向に係合する断面Ｌ字状の係止端を一体に構成し、隣接する覆蓋材の係止端を係合させて二組の雨水排出樋を構成する貯水槽用覆蓋が知られている（例えば、特許文献１参照）。
【０００５】
また、アルミニウム製の中空状押出形材の嵌合構造として、押出形材の両側端部に嵌合部及び嵌合受け部が形成されており、嵌合部は、円弧状に湾曲した係止舌片が先端に形成された突出部と、台形状断面をもつ嵌合隆起が先端に形成された係止片とを備え、嵌合受け部は、係止舌片が嵌まり込む円弧状の係合溝と、嵌合隆起がテーパ嵌合する台形状嵌合凹部が基部に形成され、嵌合時に係止片の先端が滑るスライド面をもつ係止受け片とを備えており、係合溝と係止舌片との噛合い及び台形状嵌合凹部と嵌合隆起とのテーパ嵌合により隣接する押出形材を連結する押出形材の嵌合構造が知られている（例えば特許文献２参照）。
【特許文献１】特開２００１−７０９２７（「特許請求の範囲」、段落番号０００９〜００１３、図１及び図３）
【特許文献２】特開２０００−１２０２１７（「特許請求の範囲」、図８）
【発明の開示】
【発明が解決しようとする課題】
【０００６】
しかしながら、従来の特開２００１−７０９２７に記載の覆蓋においては、覆蓋を組み立てるために覆蓋材を反転させて係止端を係合させて覆蓋材同士を接合した後、覆蓋材の両端に端部閉塞板と押え板を組み付けて、順次、ビスで締結する構造であるため、施工に多くの時間及び労力がかかるという問題があった。また、覆蓋材間にゴム製のスペーサを介装して第一次雨水排水樋への雨水等の浸入を抑制しているが、このスペーサの取付作業が煩雑となる上、水密性が十分でない。このため、第一次雨水排水樋の下部に第二次雨水排水樋を設けているが排水には言及されていない。しかし、第二次雨水排水樋は、断面Ｌ次状の係止端のみによって構成されるため、第二次雨水排水樋内に受け止められた雨水等は両覆蓋材の係止端間の隙間を通って浄化槽，上水路等の内部に浸入する虞がある。
【０００７】
また、特開２０００−１２０２１７に記載の技術においては、覆蓋材に設けられた嵌合部及び嵌合受け部と係止片及び係止受け片とによって、覆蓋材同士の接合精度を高めることができるが、嵌合部と嵌合受け部との嵌合面に雨水等が浸入すると毛管現象によって雨水等が覆蓋材の内部に浸入し、下部の浄化槽，上水路等の内部に浸入する虞がある。
【０００８】
この発明は、上記事情に鑑みてなされたもので、外部からの雨水等の浸入が防止でき、例え雨水等が覆蓋内に浸入したとしても、外部に排水して、安全な飲料水を確保できるようにした浄水場用覆蓋を提供することを課題とする。
【課題を解決するための手段】
【０００９】
上記課題を解決するために、この発明の浄水場用覆蓋は、複数のアルミニウム製の中空状押出形材からなる覆蓋材を浄化槽，上水路等の開口部に被覆並設してなる浄水場用覆蓋を前提とし、  上記覆蓋材の幅方向の端部同士を嵌合及び係合によって並設してなる幅広の面材と、  上記面材の幅方向と直交する両側端部に固着され、上記覆蓋材の係合部に形成される樋部に連通する排水路を有する廻り縁と、  上記浄化槽，上水路等の開口縁部に固定され、上記廻り縁との間にシール部材を介して上記面材の端部を水密性をもたせて保持する受け枠と、  上記面材の幅方向の端部同士を気水密に連結する接合部と、を具備することを特徴とする（請求項１）。
【００１０】
この発明において、上記覆蓋材の幅方向の端部の厚さ方向の一側に形成される嵌合部は、隣接する一方の覆蓋材から突出する嵌合片と、他方の覆蓋材に設けられて上記嵌合片を嵌合する溝状をなし、開口部の下部に水切り片を延在する嵌合受け部とを具備し、  上記覆蓋材の幅方向の端部の厚さ方向の他側に形成される係合部は、隣接する一方の覆蓋材から樋部を形成すべく断面略Ｌ字状に突出されると共に、起立部に他方の覆蓋材に密接するパッキンを装着し、かつ、先端下部に係合膨隆部を有する係止片と、他方の覆蓋材から突出され、基端部に上記係合膨隆部と係合する係合凹部を有する係止受け片とを具備する構造とする方が好ましい（請求項２）。
【００１１】
また、上記廻り縁の排水路に水抜き孔を設け、上記受け枠に二次排水路を形成する方が好ましい（請求項３）。
【００１２】
また、上記接合部は、面材の幅方向の端部上面に沿設固定される上方に向かって開口する溝を有する合成ゴム製のアンカと、隣接する面材に固着された上記アンカの溝内に嵌合する一対のパッキン部を可撓性及び伸縮性を有する連結片によって連結してなる合成ゴム製の目地ガスケットとを、具備する方が好ましい（請求項４）。
【００１３】
また、上記覆蓋材は、直状又は円弧状の一対の表面部と、両表面部の端部を連結する壁部と、両表面部を連結する１又は複数の補強用リブとを具備する形態のものを使用することができる（請求項５）。
【００１４】
加えて、上記受け枠に、面材の上方への移動を阻止するストッパを更に具備する方が好ましい（請求項６）。
【００１５】
請求項１記載の発明によれば、覆蓋材の幅方向の端部同士を嵌合及び係合によって並設して幅広の面材を形成し、この面材の幅方向と直交する両側端部に、覆蓋材の係合部に形成される樋部に連通する排水路を有する廻り縁を固着し、また、接合部によって面材の幅方向の端部同士を気水密に連結し、そして、浄化槽，上水路等の開口縁部に固定される受け枠と廻り縁との間にシール部材を介して面材の端部を水密性をもたせて保持することにより、覆蓋によって浄化槽，上水路等の開口部を気水密に被覆することができる。また、覆蓋材の嵌合部を浸入して覆蓋材内に浸入した雨水等を樋部で受け止めた後、廻り縁の排水路に流すことができる。
【００１６】
請求項２記載の発明によれば、覆蓋材の幅方向の端部の厚さ方向の一側に形成される嵌合部は、隣接する一方の覆蓋材から突出する嵌合片と、他方の覆蓋材に設けられて嵌合片を嵌合する溝状をなし、開口部の下部に水切り片を延在する嵌合受け部とを具備し、また、覆蓋材の幅方向の端部の厚さ方向の他側に形成される係合部は、隣接する一方の覆蓋材から樋部を形成すべく断面略Ｌ字状に突出されると共に、起立部に他方の覆蓋材に密接するパッキンを装着し、かつ、先端下部に係合膨隆部を有する係止片と、他方の覆蓋材から突出され、基端部に係合膨隆部と係合する係合凹部を有する係止受け片とを具備することにより、覆蓋材同士を水密状態に連結することができる。また、嵌合部の嵌合片と嵌合受け部の嵌合面を浸入する雨水等が覆蓋材の端部壁部に伝わって下部に流れるのを水切り片によって阻止することができると共に、覆蓋材の内部に浸入してきた雨水等を水切り片によって樋部内に誘導することができる。
【００１７】
請求項３記載の発明によれば、廻り縁の排水路に水抜き孔を設け、受け枠に二次排水路を形成することにより、廻り縁の排水路を流れる雨水等を受け枠の二次排水路に流して外部に排水することができる。
【００１８】
請求項４記載の発明によれば、接合部は、面材の幅方向の端部上面に沿設固定される上方に向かって開口する溝を有する合成ゴム製のアンカと、隣接する面材に固着されたアンカの溝内に嵌合する一対のパッキン部を可撓性及び伸縮性を有する連結片によって連結してなる合成ゴム製の目地ガスケットとを具備することにより、面材すなわち覆蓋材の伸縮による面材間の隙間の幅，段差等の変動や、面材すなわち覆蓋材の寸法誤差による面材間の隙間の幅，段差等の変動に対応して目地ガスケットの連結部が伸縮変形するので、面材同士の接合部を水密性をもたせて接合することができる。
【００１９】
請求項５記載の発明によれば、覆蓋材は、直状又は円弧状の一対の表面部と、両表面部の端部を連結する壁部と、両表面部を連結する１又は複数の補強用リブとを具備するので、覆蓋材自体の強度及び覆蓋の強度を強固にすることができる。
【００２０】
請求項６記載の発明によれば、受け枠に、面材の上方への移動を阻止するストッパを具備することにより、覆蓋が不用意な浮き上がりや故意に持ち上げられるのを阻止することができる。
【発明の効果】
【００２１】
この発明によれば、上記のように構成されているので、以下のような効果が得られる。
【００２２】
（１）請求項１記載の発明によれば、覆蓋によって浄化槽，上水路等の開口部を気水密に被覆することができると共に、覆蓋材の嵌合部を浸入して覆蓋材内に浸入した雨水等を樋部で受け止めた後、廻り縁の排水路に流すことができるので、浄化槽，上水路等内の飲料水が雨水等によって汚染されるのを防止することができる。また、外部から健康被害を及ぼす薬剤等の浸入（投入）をも阻止することができるので、安全な飲料水を確保することができる。
【００２３】
（２）請求項２記載の発明によれば、覆蓋材同士を水密状態に連結することができ、また、嵌合部の嵌合片と嵌合受け部の嵌合面を浸入する雨水等が覆蓋材の端部壁部に伝わって下部に流れるのを水切り片によって阻止することができると共に、覆蓋材の内部に浸入してきた雨水等を水切り片によって樋部内に誘導することができるので、上記（１）に加えて、更に安全な飲料水を確保することができる。
【００２４】
（３）請求項３記載の発明によれば、廻り縁の排水路を流れる雨水等を受け枠の二次排水路に流して外部に排水することができるので、上記（１），（２）に加えて、更に安全な飲料水を確保することができる。
【００２５】
（４）請求項４記載の発明によれば、面材すなわち覆蓋材の伸縮による面材間の隙間の幅，段差等の変動や、面材すなわち覆蓋材の寸法誤差による面材間の隙間の幅，段差等の変動に対応して目地ガスケットの連結部が伸縮変形するので、面材同士の接合部を水密性をもたせて接合することができる。
【００２６】
（５）請求項５記載の発明によれば、覆蓋材は、直状又は円弧状の一対の表面部と、両表面部の端部を連結する壁部と、両表面部を連結する１又は複数の補強用リブとを具備するので、覆蓋材自体の強度及び覆蓋の強度を強固にすることができる。
【００２７】
（６）請求項６記載の発明によれば、受け枠に、面材の上方への移動を阻止するストッパを具備することにより、覆蓋が不用意な浮き上がりや故意に持ち上げられるのを阻止することができる。したがって、上記（１）〜（５）に加えて、更に外部から健康被害を及ぼす薬剤等の浸入（投入）を確実に阻止することができるので、更に安全性の確保を図ることができる。
【発明を実施するための最良の形態】
【００２８】
以下に、この発明に係る浄水場用覆蓋の最良の実施形態を添付図面に基づいて詳細に説明する。
【００２９】
＜第１実施形態＞
図１は、この発明に係る浄水場用覆蓋の第１実施形態の使用状態（被覆状態）を示す概略平面図、図２は、上記浄水場用覆蓋の使用状態（被覆状態）を示す要部断面図、図３は、図２のＩ−Ｉ線に沿う断面図（ａ）及び（ａ）のII−II線に沿う断面図（ｂ）である。
【００３０】
上記覆蓋は、複数のアルミニウム製の中空状押出形材からなる覆蓋材１０の幅方向の端部に設けられた嵌合部２及び係合部３を嵌合及び係合することによって並設される幅広の面材１と、この面材１の幅方向と直交する両側端部に固着され、覆蓋材１０の係合部３に形成される樋部４に連通する排水路５を有するアルミニウム製の押出形材からなる廻り縁２０と、浄化槽，上水路等の開口縁部６に固定され、廻り縁２０との間にシール部材２８ａ，２８ｄを介して面材１の端部を水密性をもたせて保持する受け枠３０と、面材１の幅方向の端部同士を気水密に連結する接合部７とを具備している。
【００３１】
この場合、図３，図４及び図５に示すように、上記覆蓋材１０は、表面に滑り止め用の凹凸状１１ａを有する直状（平坦状）の上部表面部１１と、上部表面部１１と平行な下部上面部１２と、両表面部１１，１２の端部を連結する壁部１４ａ，１４ｂと、両表面部１１，１２を連結する１又は複数（ここでは、１つの場合を示す）の補強用リブ１３とを具備している。
【００３２】
また、覆蓋材１０の幅方向の一方の端部の壁部１４ａの厚さ方向の一側には、先端に断面略円弧状に屈曲する円弧状嵌合片１５が突設され、また、厚さ方向の他側には、樋部４を形成すべく断面略Ｌ字状に突出されると共に、起立部１６ａに隣接する他方の覆蓋材１０に密接する例えばシリコンゴム製のパッキン１６ｂを装着し、かつ、先端下部に狭小テーパ状の係合膨隆部１６ｃを有する係止片１６が突設されている。この場合、起立部１６ａの頂部に形成された断面略Ｃ字状溝１６ｄ内にパッキン１６ｂが嵌合されており、パッキン１６ｂの露出部が隣接する他方の覆蓋材１０の壁部１４ｂに密接されるように構成されている。
【００３３】
また、覆蓋材１０の幅方向の他方の端部の壁部１４ｂの厚さ方向の一側には、嵌合片１５を嵌合する円弧状の溝状をなし、開口部１７ａの下部に水切り片１７ｂを延在する嵌合受け部１７が設けられている。この嵌合受け部１７と上記嵌合片１５とで嵌合部２が構成されている。また、壁部１４ｂの厚さ方向の他側には、基端部に係合膨隆部１６ｃと係合する拡開テーパ状の係合凹部１８ａを有すると共に、係止片１６の先端部を滑り案内するスライド面１８ｂを有する係止受け片１８が突設されている。この係止受け片１８と上記係止片１６とで係合部３が構成されている。
【００３４】
上記のように構成される覆蓋材１０同士を連結するには、まず、一方の覆蓋材１０に突設された係止片１６を他方の覆蓋材１０の嵌合受け部１７の開口部１７ａに位置させた後、覆蓋材１０を回転させながら嵌合させる。この覆蓋材１０の回転に伴って嵌合受け部１７に嵌合片１５が入り込むと共に、係止片１６の先端が係止受け片１８のスライド面１８ｂに接触する。更に覆蓋材１０を回転させると、係止片１６は、係止受け片１８で表面側に押されて弾性変形しながら、スライド面１８ｂ上を他側壁部１４ｂに向かって移動する。係止片１６がスライド面１８ｂを乗り越えると、弾性変形に起因する弾性復元力で係止片１６先端の係合膨隆部１６ｃが係合凹部１８ａに落とし込まれて係止片１６と係止受け片１８とが係合され、パッキン１６ｂが他側壁部１４ｂに密接されて、覆蓋材１０同士が連結される。
【００３５】
上記のようにして複数の覆蓋材１０を幅方向に順次連結して幅広の面材１を形成する。なお、面材１の端部に位置する覆蓋材１０も、その他の覆蓋材１０と同様なものであっても差し支えないが、例えば、図３に示すように、拡開テーパ状の凹条１９を有する壁部１４ｃを具備する覆蓋材１０Ａを用いる方がよい。これにより、凹条１９内に嵌合されるパッキン１９ａ同士を密接させて気水密性の向上を図ることができる。すなわち、後述する接合部７の目地ガスケット７４とパッキン１９ａとが共働して二重の止水・気密部を形成して、気水密性の向上を図ることができる。
【００３６】
上記のようにして構成される面材１の幅方向と直交する両側端部には、断面略Ｅ字状の廻り縁２０が固着されている。この廻り縁２０は、図２，図３及び図６に示すように、アルミニウム製の押出形材によって形成されており、覆蓋材１０の厚さより若干高い垂直基部２１と、この垂直基部２１の上端から直交状に延在する上部水平片２２と、垂直基部２１の下端から上部水平片２２と略平行に延在する下部水平片２３と、垂直基部２１の中間部から上部水平片２２及び下部水平片２３と略平行に延在する中間水平片２４とを具備しており、垂直基部２１と下部水平片２３及び中間水平片２４によって排水路５が形成されている。なお、垂直基部２１の端部における下端から中間部に渡って水抜き孔２５が設けられている。
【００３７】
上記のように構成される廻り縁２０は、上部水平片２２と下部水平片２３との間に覆蓋材１０の端部を挿入した状態で、それぞれ上部水平片２２及び下部水平片２３と上部及び下部表面部１１，１２とをリベット２６によって締結することで、覆蓋材１０の端部に固着される。
【００３８】
なお、廻り縁２０の垂直基部２１と上部水平片２２との連結部には、上部嵌合溝２７が設けられており、この上部嵌合溝２７内に例えばシリコンゴム製の上部シール部材２８ａの基部２８ｂが嵌合されて、上部シール部材２８ａのシール舌片２８ｃが上部水平片２２と反対方向に突出して、後述する受け枠３０の上部水平部３３に接触し得るようになっている。また、下部水平片２３の下面には、下部嵌合溝２９が設けられており、この下部嵌合溝２９内に嵌合される例えばシリコンゴム製の下部シール部材２８ｄの露出部２８ｅが受け枠３０の下部水平部３２に密接し得るようになっている。
【００３９】
上記受け枠３０は、図２，図３及び図７に示すように、アルミニウム製の押出形材によって形成されており、上端側が傾斜する起立部３１の下端に、上記下部シール部材２８ｄを介して面材１の端部を載置保持する下部水平部３２が延在され、起立部３１の上端に、上記上部シール部材２８ａが接触する上部水平部３３が延在されている。また、下部水平部３２の起立部３１側には、二次排水路９を形成すべく長手方向に沿う凹溝３７が形成されている。
【００４０】
このように構成される受け枠３０は、下部水平部３２を貫通する固定ボルト３４を浄化槽，上水路等の開口縁部６に配置されたアルミニウム製の受け材８に締結することで、浄化槽，上水路等の開口縁部６に固定されている。この場合、受け枠３０の下部水平片３２の先端側の下面に下向き凹溝３９が設けられており、この下向き凹溝３９内に嵌合されるシリコンゴム製のシール材３８を介して、受け枠３０を載置固定することによって、受け材８と受け枠３０間の水密性が維持されている。
【００４１】
なお、下部水平部３２の先端部には、狭隘開口溝３２ａが設けられており、この狭隘開口溝３２ａ内に補助シール部材３２ｂの基部３２ｃが嵌合されて、補助シール部材３２ｂのシール舌片３２ｄが面材１の端部下面に接触し得るようになっている。
【００４２】
また、受け枠３０の上部水平部３３の下部には狭隘開口状の凹条３３ａが設けられており、この凹条３３ａ内に配設されるナット４１にねじ結合する取付ボルト４２によって面材１の浮き上がりを抑制するストッパ４０が適宜間隔をおいて取り付けられている。この場合、取付ボルト４２を緩めることによってストッパ４０を面材１の上面と係合する位置から回避する位置に回動し得るようになっている。したがって、必要に応じて面材１を開放する場合には、取付ボルト４２を緩めてストッパ４０を回避位置に回動すればよい。なお、覆蓋材１０の幅方向と直交する方向の端部側にはトランク取手（図示せず）が覆蓋材１０の表面に出没可能に取り付けられており、面材１を開放する場合には、このトランク取手を用いて面材１の開放が容易に行われるようになっている。なお、ストッパ４０が取り付けられる部位における上部シール部材２８ａには、ストッパ４０との干渉を回避するために切り欠かれている（図３（ｂ）参照）。
【００４３】
なお、受け枠３０の起立部３１の下部には水抜き孔３５が設けられており、受け枠３０の二次排水路９内に溜まった雨水等を外部へ排水し得るように形成されている。
【００４４】
また、受け枠３０の外側には、アルミニウム製のカバープレート３６が配置されている。このカバープレート３６は、受け材８の上面に載置される下部水平部３６ａの受け枠３０側の先端から起立する起立片３６ｂの上端に、受け枠３０側に向かって上り勾配の傾斜片３６ｃが形成されている。一方、廻り縁２０の上部嵌合溝２７に嵌合される上部シール部材２８ａのシール舌片２８ｃが、受け枠３０の上部水平部３３の上面及びカバープレート３６の傾斜片３６ｃに接触して水密の維持が図られている。
【００４５】
なお、覆蓋材１０の幅方向における面材１の端部にも上記廻り縁２０と同様な廻り縁（図示せず）が固着されており、上記受け枠３０と同様の受け枠（図示せず）によって固定保持されている。そして、これら受け枠同士は直交状に接続され、図示しない、合成ゴム製例えばシリコンゴム製の樋部材を介して受け枠３０の二次排水路９が連通されている。
【００４６】
一方、接合部７は、図３及び図８に示すように、面材１（具体的には、覆蓋材１０Ａ）の幅方向の端部上面に沿設固定される上方に向かって開口する溝７１を有する合成ゴム製例えばシリコンゴム製のアンカ７０と、隣接する面材１（具体的には、覆蓋材１０Ａ）に固着されたアンカ７０の溝７１内に嵌合する一対の中空状のパッキン部７２を可撓性及び伸縮性を有する断面略Ｕ字状の連結片７３によって連結してなる合成ゴム製例えばシリコンゴム製の目地ガスケット７４とで主に構成されている。この場合、パッキン部７２の対向する両側には溝７１の内壁に密接する可撓性を有する複数のフィン７５が突設されている。
【００４７】
上記のように、面材１の幅方向の端部上面に上方に向かって開口する溝７１を有する合成ゴム製のアンカ７０を沿設固定し、隣接する面材１に固着されたアンカ７０の溝７１内に合成ゴム製の目地ガスケット７４のパッキン部７２を嵌合することによって、隣接する面材１同士を水密性を持たせて連結することができる。この際、一対のパッキン部７２は可撓性及び伸縮性を有する断面略Ｕ字状の連結片７３によって連結されているので、両面材１の隙間の寸法誤差による変動や段差による変動を連結片７３によって吸収することができる。
【００４８】
＜第２実施形態＞
図９は、この発明に係る覆蓋の第２実施形態の覆蓋材１０Ｂ，１０Ｃの連結部を示す断面図、図１０は、第２実施形態における面材１Ａの幅方向の端部の固定保持の状態を示す断面図、図１１は、第２実施形態における面材１の幅方向と直交する方向の端部の固定保持の状態を示す断面図である。
【００４９】
第２実施形態は、幅方向に円弧状に湾曲する覆蓋材１０Ｂ，１０Ｃの幅方向の端部同士を連結してアーチ状に湾曲する面材１Ａを用いて浄化槽，上水路等の開口部を閉塞するようにした場合である。
【００５０】
第２実施形態の覆蓋は、複数のアルミニウム製の中空状押出形材からなる円弧状の覆蓋材１０Ｂの幅方向の端部に設けられた嵌合部２及び係合部３を嵌合及び係合することによって並設される略アーチ状に湾曲する幅広の面材１Ａと、この面材１Ａの幅方向と直交する両側端部に固着され、覆蓋材１０Ｂの係合部３に形成される樋部４に連通する排水路５を有するアルミニウム製の形材からなる略アーチ状に湾曲する廻り縁２０Ａと、廻り縁２０Ａとの間にシール部材２８ａ，２８ｄを介して面材１Ａの端部を水密性をもたせて保持するアルミニウム製の形材からなる略アーチ状に湾曲する受け枠３０Ａと、面材１Ａの幅方向の端部同士を気水密に連結する接合部７と、面材１Ａの幅方向の端部を固定保持するアルミニウム製の押出形材からなる受け枠３０Ｂとを具備している。
【００５１】
この場合、覆蓋材１０Ｂは、表面に滑り止め用の凹凸状１１ａを有する円弧状の上部表面部１１Ａと、上部表面部１１Ａと平行な円弧状の下部上面部１２Ａと、両表面部１１Ａ，１２Ａの端部を連結する壁部１４ａ，１４ｂと、両表面部１１Ａ，１２Ａを連結する１又は複数（ここでは、１つの場合を示す）の補強用リブ１３とを具備している。なお、面材１Ａの幅方向の端部に位置する覆蓋材１０Ｃの壁部１４ｃには、第１実施形態の覆蓋材１０Ａと同様に拡開テーパ状の凹条１９が形成されている。
【００５２】
このように形成される覆蓋材１０Ｂ同士は、第１実施形態と同様に形成される嵌合部２及び係合部３を嵌合及び係合することによって並設されて、略アーチ状に湾曲する幅広の面材１Ａが形成されている。
【００５３】
廻り縁２０Ａ及び受け枠３０Ａは、略アーチ状に湾曲する以外は、第１実施形態における廻り縁２０及び受け枠３０と同様に形成されるので、同一部分には同一符号を付して、説明は省略する。
【００５４】
上記受け枠３０Ｂは、図９に示すように、アルミニウム製の押出形材にて形成されており、水平基部５０と、この水平基部５０の一端から起立する第１の起立部５１と、第１の起立部５１の上端から外方に向かって上り勾配状に傾斜し、上記下部シール部材２８ｄを介して面材１Ａの端部を載置保持する下部傾斜部５２と、水平基部５０の他端から起立する第２の起立部５３と、第２の起立部５３の上端から下部傾斜部５２と同方向に向かって上り勾配状に傾斜する上部傾斜部５４と、この上部傾斜部５４の先端から上部傾斜部５４に対して略直交状に折曲する折曲部５５と、を具備している。
【００５５】
このように形成される受け枠３０Ｂによれば、面材１Ａの幅方向の端部に固着された廻り縁２０を折曲部５５に当接した状態で下部シール部材２８ｄを介して面材１Ａの端部を下部傾斜部５２上に載置保持する。この状態で上部シール部材２８ａが上部傾斜部５４の上面に接触するので、下部シール部材２８ｄと共働して水密性の維持が図れる。
【００５６】
なお、受け枠３０Ａと３０Ｂの接合は、図１２に示すように、受け枠３０Ｂの端部の一側部に切欠部５６を設け、この切欠部５６内に受け枠３０Ａの端部を呑み込ませて接合すると共に、この接合部における両受け枠３０Ａ，３０Ｂの二次排水路９内に例えばシリコンゴム製の樋部材５７を跨設する。そして、図示しない固定手段例えば固定ねじあるいは溶接等によって両受け枠３０Ａ，３０Ｂを接合固定する。
【００５７】
なお、上記面材１Ａを複数ユニット設けて連結することも可能である。この場合、図１３及び図１４に示すように、各面材１Ａを固定保持する受け枠３０Ｂの間に、例えばアルミニウム製の押出形材によって形成される谷樋６０を介設する。この際、谷樋６０の両起立壁６１の上端に内向き鍔片６２を設け、この内向き鍔片６２の上面に上部シール部材２８ａのシール舌片２８ｃを接触させる方が好ましい。
【００５８】
このように構成することにより、谷樋６０によって面材１Ａの上面を流れる雨水等を谷樋６０によって受け止めて外部に排水することができる。
【００５９】
なお、第２実施形態において、その他の部分は第１実施形態と同じであるので、同一部分には同一符号を付して説明は省略する。
【００６０】
上記のように、覆蓋を構成する面材１Ａを略アーチ状に形成することにより、覆蓋の強度を更に向上させることができると共に、覆蓋上に溜まる雨水等を速やかに外部に排水することができる。
【図面の簡単な説明】
【００６１】
【図１】この発明に係る浄水場用覆蓋の第１実施形態の使用状態（被覆状態）を示す概略平面図である。
【図２】上記浄水場用覆蓋の使用状態（被覆状態）を示す要部断面図である。
【図３】図２のＩ−Ｉ線に沿う断面図（ａ）及び（ａ）のII−II線に沿う断面図（ｂ）である。
【図４】この発明における覆蓋材に設けられる嵌合片と係止片を示す斜視図である。
【図５】この発明における覆蓋材に設けられる嵌合受け部と係止受け片を示す斜視図である。
【図６】第１実施形態における廻り縁の斜視図である。
【図７】第１実施形態における受け枠の斜視図である。
【図８】この発明における接合部を示す斜視図である。
【図９】この発明に係る浄水場用覆蓋の第２実施形態を示す断面図である。
【図１０】第２実施形態における面材の幅方向端部の固定保持状態を示す断面図である。
【図１１】第２実施形態における面材の幅方向と直交する方向の端部の保持状態を示す断面図である。
【図１２】第２実施形態における受け枠の接合部を示す概略平面図である。
【図１３】第２実施形態における面材を複数連結した状態を示す概略斜視図である。
【図１４】図１３の要部を示す断面図である。
【符号の説明】
【００６２】
１  面材
２  嵌合部
３  係合部
４  樋部
５  排水路
６  開口縁部
７  接合部
９  二次排水路
１０，１０Ａ，１０Ｂ，１０Ｃ  覆蓋材
１１，１１Ａ  上部表面部
１２，１２Ａ  下部表面部
１３  補強リブ
１４ａ，１４ｂ  壁部
１５  円弧状嵌合片
１６  係止片
１６ａ  起立部
１６ｂ  パッキン
１６ｃ  係合膨隆部
１７  嵌合受け部
１７ａ  開口部
１７ｂ  水切り片
１８  係止受け片
１８ａ  係合凹部
２０，２０Ａ  廻り縁
２５  水抜き孔
２８ａ  上部シール材
２８ｄ  下部シール材
３０，３０Ａ，３０Ｂ  受け枠
４０  ストッパ
【図１】
2006036210.tif 000003
【図２】
2006036210.tif 000004
【図３】
2006036210.tif 000005
【図４】
2006036210.tif 000006
【図５】
2006036210.tif 000007
【図６】
2006036210.tif 000008
【図７】
2006036210.tif 000009
【図８】
2006036210.tif 000010
【図９】
2006036210.tif 000011
【図１０】
2006036210.tif 000012
【図１１】
2006036210.tif 000013
【図１２】
2006036210.tif 000014
【図１３】
2006036210.tif 000015
【図１４】
2006036210.tif 000016